(57)【要約】      （修正有）【課題】動物用トイレ容器の洗浄を楽にし、容器の一部だけ汚れた場合は、そこだけ清潔にでき、容器の一部だけ破損した場合は、そこだけ取り換えられるようにする方法を提供する。【解決手段】動物用トイレ容器は、１つの容器を複数の区画に分割、各区画が自由に分離、合体できることを特徴とする。汚れた区画のみを交換、洗浄でき、洗浄そのものも楽になる。動物用トイレ容器が部分的に破損してしまった状態でも、破損した区画のみ交換できる。区画ごとに袋や保護カバー、保護シート等の保護具を被せて使用することもでき、汚れた区画の保護具を交換すれば、区画自体洗う必要もなくなる。【選択図】図５
2020039332.tif 000002
【特許請求の範囲】
【請求項１】
動物用トイレ容器において、１つの容器を複数の区画に分け、それぞれの区画がはめ込み式等により分離、合体できることを特徴とする動物用トイレ容器。区画と区画を分離、合体させる方法としては、他に磁石を使用したり、ピンチのようなもので互いに挟みこんだり、下に容器を敷き下の容器から動物用トイレ容器を押さえる方法等が考えられる。
ここでいう動物用トイレ容器とは、動物の糞尿を吸収したり固めたり絡めたりすることのできる汚物処理物質を中に入れて使用できる容器を指す。動物がその中に入り、排泄できるようになっている容器である。
また、汚物処理物質とは、動物の糞尿を吸収したり固めたり絡めたりすることのできる物質で、例としては猫砂や尿の吸収シート等がある。
【請求項２】
請求項１に記載の動物用トイレ容器において、分離、合体できる区画ごとに袋や保護カバー、保護シート等の保護具を被せて使用することができることを特徴とする請求項１に記載の動物用トイレ容器。
【請求項３】
請求項１、請求項２に記載の動物用トイレ容器において、その下にさらにそれを乗せるための容器を使用することができることを特徴とする請求項１、請求項２に記載の動物用トイレ容器。
【発明の詳細な説明】
【技術分野】
【０００１】  本願発明は動物用トイレ容器につき、容器に付いた汚れを簡単に取り除くことができ、清潔な状態を容易に保つことができる動物用トイレ容器の構造に関する。
【背景技術】
【０００２】  猫等の動物用のトイレは、一般的に糞尿等を吸収したり、固めたり、付着して処理できるようにした吸収シートや粒状の猫砂等の汚物処理物質を容器の中に入れて使用されている。猫等の動物は前記トイレ内に入り、汚物処理物質の上から尿や便等を排泄する。
動物用トイレの清掃は、尿や便で汚れた部分の汚物処理物質を容器から取り除き、取り除いた分、新しい汚物処理物質を補充する。【０００３】  しかし、この汚物処理物質は動物の糞尿等を完全に吸収できなかったり、動物の糞尿等が容器の端にずれたりして容器自体が糞尿等で汚れてしまうことがある。
そのため、一定期間ごとにまたは汚れるごとに、この動物用トイレ容器自体も中に入っている汚物処理物質をすべて捨てるか他の容器に移し替え、動物用トイレ容器を洗浄して乾かした後、再度動物用トイレ容器に汚物処理物質を入れるという大がかりな手順が必要となる。【０００４】  また、動物用トイレ容器自体、動物が入って用を足すことを想定しているため、これを使用する動物の体よりも大きく、洗浄すること自体非常に手間がかかる。また、洗浄後、乾燥するまで動物用トイレ容器が使用できないという問題もある。【０００５】  そのような問題を解決するために、特許文献１では動物用トイレ容器の上に交換可能なビニールシートを敷いている。特許文献２では容器の上に不透液性シートを敷いている。これらのシートを敷き、その上に汚物処理物質を入れて使用している。これにより容器自体に汚れは付着せず、それぞれのシートを取り換えることで容器自体を清潔にできるものが提案される。
【先行技術文献】
【特許文献】
【０００６】
【特許文献１】特開平８−３７９８１
【特許文献２】特開平１０−２２５２４３
【発明の概要】
【発明が解決しようとする課題】
【０００７】  しかし、特許文献１や特許文献２のようにそれぞれシートを敷いただけでは、そのシートが汚れ交換する際に、動物用トイレ容器の中に入っている汚物処理物質をすべて捨てるか他の容器に移し替える手間は依然として残る。【０００８】  また、動物用トイレ容器は全体的に少しずつ汚れていくこともあるが、一部分のみ大きく汚れてしまう場合もある。一部分しか汚れていない場合でもシート全体を交換しなければならないという問題もある。【０００９】  そして、動物用トイレ容器が一部分だけ破損した場合でも、動物用トイレ容器を買いなおさなければならない。【００１０】  本願発明は以上のような課題を解決するためになされたものであり、手間や時間を今までよりも少なくし、かつ経済的に動物用トイレ容器を清潔に使い続けることを目的とする。
【課題を解決するための手段】
【００１１】  上述した課題を解決するために、本願発明の動物用トイレ容器は１つの容器を複数の区画に分け、はめ込み式等の方法により分離、合体が自由にできることを特徴とする。また、区画ごとに袋や保護カバー、保護シート等の保護具を被せて利用することも可能である。さらに動物用トイレ容器の下にそれを乗せるための容器を使用することもできる。これらのことを特徴とする動物用トイレ容器である。
【発明の効果】
【００１２】  本願発明によれば、動物用トイレ容器の清掃時に特許文献１、特許文献２のように、汚物処理物質を捨てたり移し替えたりする手間がなくなる。【００１３】  区画を洗浄して再使用することもできるが、特許文献１、特許文献２と同じく洗浄することなく動物用トイレ容器を清潔にすることができる。
その場合、区画そのものを新しい予備の区画と交換したり、区画に袋または保護カバー、保護シート等の保護具を被せて使用し、それぞれ交換する。【００１４】  また、区画を洗浄する場合においても、区画ごとの洗浄となるので動物用トイレ容器全体を洗浄することに比べれば手間が減少する。【００１５】  動物用トイレ容器の一部分のみが大きく汚れてしまった場合でも、汚れてしまった区画を交換したり洗浄することで、全体に対して処理をしなくとも済む。区画ごとに袋や保護カバー、保護シート等の保護具を使用する場合は、汚れた区画の保護具を交換すれば良い。【００１６】  また、動物用トイレ容器が部分的に破損してしまった状態でも、破損した区画のみ交換すれば良いので経済的である。
【図面の簡単な説明】
【００１７】
【図１】本願発明の動物用トイレ容器の一実施例の斜視図
【図２】本願発明の動物用トイレ容器の一実施例であり、区画を分離した状態の斜視図
【図３】本願発明の動物用トイレ容器の一実施例に、汚物処理物質（ここでは猫砂）を入れた状態の図
【図４】本願発明の動物用トイレ容器の一実施例に、汚物処理物質（ここでは猫砂）を入れて、容器を傾け汚物処理物質を端に寄せた状態の図
【図５】本願発明の動物用トイレ容器の一実施例に、汚物処理物質（ここでは猫砂）を入れて、容器を傾け汚物処理物質を端に寄せた状態から、汚物処理物質が乗っていない区画を分離した図
【図６】本願発明の動物用トイレ容器の一実施例につき、分離した区画に袋を被せた状態の斜視図
【図７】本願発明の動物用トイレ容器の一実施例につき、分離した区画に保護カバーを被せた状態の斜視図
【図８】本願発明の動物用トイレ容器の一実施例につき、分離した区画に保護シートを被せた状態の斜視図
【図９】本願発明の動物用トイレ容器の一実施例の下にそれを乗せるための容器を敷く前の状態の斜視図
【図１０】本願発明の動物用トイレ容器の一実施例の下にそれを乗せるための容器を敷いた状態の斜視図
【図１１】本願発明の動物用トイレ容器の一実施例の下にそれを乗せるための容器を敷いた状態から、１区画を分離した状態の斜視図
【発明を実施するための形態】
【００１８】  以下、本願発明の実施の形態について説明する。
【００１９】  本願発明の動物用トイレ容器は、１つの容器を複数の区画に分割しており、それぞれの区画がはめこみ式等により自由に分離、合体できることを特徴とする。区画と区画を分離、合体させるようにする方法としては、他に磁石を使用したり、ピンチのようなもので互いに挟みこんだり、下に容器を敷き、下の容器から動物用トイレ容器を押さえる方法等が考えられる。
【００２０】  これにより、汚れた区画のみを交換したり、洗浄することができる。また、区画ごとに処理をするため、動物用トイレ容器の中に入っている汚物処理物質をすべて捨てるか他の容器に移し替える手間もない。動物用トイレ容器が部分的に破損してしまった状態でも、破損した区画のみ交換すれば良いので経済的である。
【００２１】  本願発明の動物用トイレ容器では、区画ごとに袋や保護カバー、保護シート等の保護具を被せて使用することもできる。これらを使用した場合、汚れた区画の保護具の交換をすれば、区画自体は洗浄する必要がなく汚れた保護具を捨てるだけで良い。区画を交換して、汚れた区画の方を捨てれば同じことが実現できるが、保護具を用いた方が経済的である。
【００２２】  本願発明の動物用トイレ容器は、これを下から受けるための容器を使用することができる。区画を合体させて１つの動物用トイレ容器として使う際、これにより強度が上がり、外部からの力によって意図せず分離することを防ぐことができる。また、動物用トイレ容器を外側から押さえ、区画と区画を分離、合体させる役割をこの容器に持たせることもできる。そして、動物用トイレ容器の区画と区画との間から汚物が染み出た場合に、それを受けることができる。
【実施例】
【実施例１】
【００２３】  図１は本願発明の実施例の１つである。動物用トイレ容器の区画を４つに分けた場合の斜視図である。【００２４】  本願発明による動物用トイレ容器（１）は区画と区画が分離、合体ができることが特徴となる。動物用トイレ容器として使用する場合は合体させて使うこととなる。今回は区画を４つに分けた場合を想定して図１で説明する。図１ははめ込み式による分離、合体方法である。区画を分離した場合は図２のようになる。区画と区画を分離、合体させるようにする方法としては、他に磁石を使用したり、ピンチのようなもので互いに挟みこんだり、下に容器を敷き、下の容器から動物用トイレ容器（１）を押さえる方法等が考えられる。
いずれの方法でも区画と区画が分離、合体ができることが必要である。【００２５】  図３、図４、図５は動物用トイレ容器（１）に汚物処理物質として猫砂（６）を入れた場合の使用法説明例の斜視図である。【００２６】  図３は動物用トイレ容器（１）に汚物処理物質の例として猫砂（６）を入れている。この動物用トイレ容器（１）を洗浄したい場合、１区画ごとに洗浄することができる。まず洗浄する区画を決める。ここでは図１を正面から見て左下の区画を洗浄したい区画とする。【００２７】  洗浄したい区画の上から猫砂（６）を除くために動物用トイレ容器（１）を傾ける。猫砂（６）は図４のように他の区画にずれる。【００２８】  図５のように洗浄したい区画（２）を取り外し、洗浄後再度合体させ、図４の状態にする。その後、動物用トイレ容器（１）を傾けて猫砂（６）を動物用トイレ容器（１）内にて均等になるようにし、図３の状態に戻す。【００２９】  区画（２）を取り外す際、予備の区画がある場合は、予備の区画を動物用トイレ容器（１）に取り付け、汚れてしまった区画（２）は捨てるか洗浄することができる。
これにより、区画（２）の洗浄を待たずとも動物用トイレ容器（１）をすぐに使うことができる。【００３０】  以上の手順をとることにより、動物用トイレ容器（１）を洗浄するために、中に入っている猫砂（６）を移し替えたり、捨てる必要がなくなり、洗浄の手間が減少する。
【実施例２】
【００３１】  本願発明による動物用トイレ容器（１）は区画と区画が分離、合体ができることが特徴となる。動物用トイレ容器として使用する場合は合体させて使うこととなる。今回は区画を４つに分けた場合を想定して図１で説明する。図１ははめ込み式による分離、合体方法である。区画を分離した場合は図２のようになる。区画と区画を分離、合体させるようにする方法としては、他に磁石を使用したり、ピンチのようなもので互いに挟みこんだり、下に容器を敷き、下の容器から動物用トイレ容器（１）を押さえる方法等が考えられる。
いずれの方法でも区画と区画が分離、合体ができることが必要である。【００３２】  また、実施例２は各区画それぞれに袋（７）または保護カバー（９）、保護シート（１１）等の保護具を被せたものとする。区画に袋（７）を被せると区画（８）に示すような形になる。区画に保護カバー（９）を被せると区画（１０）に示すような形になる。区画に保護シート（１１）を被せると区画（１２）に示すような形になる。【００３３】  保護具は動物用トイレ容器（１）を構成する全ての区画に被せても良いし、一部の区画のみ被せても良い。区画に保護具を被せても、動物用トイレ容器（１）の分離、合体は差しさわりなくできるようにする。例えば、はめこみ式にて分離、合体をする動物用トイレ容器（１）が保護具として袋を使用する場合、はめ込み部にも袋が被せられることを想定して、はめ込み部の接合部分は若干空間に余裕のある構成にする。磁石式にて分離、合体をする動物用トイレ容器（１）が保護具として袋を使用する場合、はめ込み部にも袋が被せられることを想定して、磁力を強くする等である。【００３４】  動物用トイレ容器（１）を清潔にするための手順は、区画（２）を分離する所までは、実施例１と同じである。実施例２では、実施例１にて使用した図をもとに全ての区画に保護具を被せているものとして説明する。【００３５】  図３、図４、図５は動物用トイレ容器（１）に汚物処理物質として猫砂（６）を入れた場合の使用法説明例の斜視図である。【００３６】  図３は動物用トイレ容器（１）に汚物処理物質の例として猫砂（６）を入れている。この動物用トイレ容器（１）を清潔にしたい場合、１区画ごとに保護具を交換することができる。まず保護具を交換したい区画を決める。ここでは図１を正面から見て左下の区画をその区画とする。【００３７】  保護具を交換したい区画の上から猫砂（６）を除くために動物用トイレ容器（１）を傾ける。猫砂（６）は図４のように他の区画にずれる。【００３８】  図５のように保護具を交換したい区画（２）を取り外し、保護具の交換後、再度合体させ、図４の状態にする。その後、動物用トイレ容器（１）を傾けて猫砂（６）を動物用トイレ容器（１）内にて均等になるようにし、図３の状態に戻す。【００３９】  このように区画（２）の上に被せてあった保護具の交換をすれば、区画（２）を洗浄する手間が無いため、動物用トイレ容器（１）をすぐに使うことができる。【００４０】  以上の手順をとることにより、動物用トイレ容器（１）を清潔にするために、中に入っている猫砂（６）を移し替えたり、捨てる必要がなく、また実施例１のように区画を洗浄する必要もないため、手間が減少する。
【実施例３】
【００４１】  本願発明の動物用トイレ容器（１）は図９、図１０に示すとおり、動物用トイレ容器（１）を下から受けるための容器（１３）を用いることができる。この容器（１３）を図１０のように使う場合、容器（１３）が動物用トイレ容器（１）を下から挟み込むこと形となるため、動物用トイレ容器（１）の強度を上げることができる。【００４２】  また、動物用トイレ容器（１）の区画と区画が分離、合体する特性上、接合部から汚物が染み落ちることも想定されるが、その場合にそれを容器（１３）が受けることができる。【００４３】  図１２のように、容器（１３）が下から動物用トイレ容器（１）を挟み込む等のしくみにより、動物用トイレ容器（１）を分離、合体できるようにできる。この場合は動物用トイレ容器（１）自体に分離、合体するためのしくみが必要なくなる。どのような方法でも動物用トイレ容器（１）が分離、合体できることが本願発明の特徴である。
【符号の説明】
【００４４】１…動物用トイレ容器の一実施例
２…動物用トイレ容器の一実施例から１区画を分離した。その１区画
３…動物用トイレ容器の一実施例から１区画を分離した。その他の区画
４…はめ込み部凸
５…はめ込み部凹
６…猫砂
７…袋
８…区画に袋を被せたもの
９…保護カバー
１０…区画に保護カバーを被せたもの
１１…保護シート
１２…区画に保護シートを被せたもの
１３…動物用トイレ容器を下から受ける容器
【図１】
2020039332.tif 000003
【図２】
2020039332.tif 000004
【図３】
2020039332.tif 000005
【図４】
2020039332.tif 000006
【図５】
2020039332.tif 000007
【図６】
2020039332.tif 000008
【図７】
2020039332.tif 000009
【図８】
2020039332.tif 000010
【図９】
2020039332.tif 000011
【図１０】
2020039332.tif 000012
【図１１】
2020039332.tif 000013